(57)【要約】【課題】止水性を確保しつつ円形のセグメントリングを拡幅できるセグメントを提供すること。【解決手段】固定部材３と、その両側に配置されたスライド部材５からなる拡幅用セグメントを有するセグメントリング１を組立てる。また、固定部材３に、固定部材３とスライド部材５との間の止水のために、板状部材９を溶接する。スライド部材５は、ボルト３９を用いて、板状部材９の内周面１３側に設けられた凹部１５に固定される。このボルト３９を取り外し、固定部材３に固定された板状部材９に沿ってスライド部材５をスライドさせてセグメントリング１を拡幅した後、再度ボルト３９でスライド部材５を板状部材９の凹部１５に固定する。【選択図】  図４
2004244885.tif 000002
【特許請求の範囲】
【請求項１】
セグメントリングの所定の部分に設けられるセグメントであって、
固定部材と、
前記固定部材に対してトンネルの断面拡幅方向にスライド可能なスライド部材と、
を具備することを特徴とするセグメント。
【請求項２】
前記固定部材及び前記スライド部材は、断面がコの字状であることを特徴とする請求項１記載のセグメント。
【請求項３】
前記スライド部材とトンネル軸方向に隣接する他のセグメントとの間に第１の止水機構が設けられることを特徴とする請求項１記載のセグメント。
【請求項４】
前記第１の止水機構は、
前記他のセグメントから前記スライド部材の方向に張り出した板状部材と、
前記板状部材と前記スライド部材との間に設けられた弾性止水材と、
であることを特徴とする請求項３記載のセグメント。
【請求項５】
前記第１の止水機構は、
前記固定部材の側端部に沿って、前記スライド部材に設けられた凸部であることを特徴とする請求項３記載のセグメント。
【請求項６】
前記スライド部材と前記固定部材との間に第２の止水機構が設けられることを特徴とする請求項１記載のセグメント。
【請求項７】
前記第２の止水機構は、
前記固定部材に固定され、トンネル軸方向の長さが前記スライド部材より長い板状部材であることを特徴とする請求項６記載のセグメント。
【請求項８】
前記スライド部材は２つに分割され、夫々が前記固定部材に対してスライドすることを特徴とする請求項１記載のセグメント。
【発明の詳細な説明】
【０００１】
【発明の属する技術分野】
本発明は、セグメントリングの所定の部分に設けられる拡幅用のセグメントに関するものである。
【０００２】
【従来の技術】
道路トンネルの分岐・合流部や非常駐車帯、共同溝や下水道等の断面拡幅部などの施工には、トンネルの掘削断面を変化させることができるシールド掘削機が用いられている。従来、矩形断面のトンネルを覆工するための、拡幅可能なセグメントが提案されている（例えば、特許文献１参照）。
【０００３】
【特許文献１】
特開平１１−２００７９１号公報
【０００４】
【発明が解決しようとする課題】
しかしながら、円形断面トンネルでは、円形に設置したセグメントリングを拡幅する必要がある。
【０００５】
本発明は、このような問題に鑑みてなされたもので、その目的とするところは、止水性を確保しつつ円形のセグメントリングを拡幅できるセグメントを提供することにある。
【０００６】
【課題を解決するための手段】
前述した目的を達成するための第１の発明は、セグメントリングの所定の部分に設けられるセグメントであって、固定部材と、前記固定部材に対してトンネルの断面拡幅方向にスライド可能なスライド部材とを具備することを特徴とするセグメントである。
【０００７】
セグメントは、例えば断面がコの字状の固定部材及びスライド部材を入れ子型に配置したものや、固定部材とスライド部材をトンネルの断面拡幅方向に直列に並べたものとする。スライド部材は、固定部材に対してトンネルの断面拡幅方向にスライド可能とする。スライド部材は、必要に応じて、トンネル断面拡幅方向に垂直な面で２つに分割され、分割された２つの部分は、夫々固定部材に対してスライドする。固定部材とスライド部材は、鋼製とするのが好ましい。
【０００８】
スライド部材とトンネル軸方向に隣接する他のセグメントとの間には、地山からの漏水を防止するための第１の止水機構が設けられる。第１の止水機構とは、例えば、他のセグメントからスライド部材の方向に張り出した板状部材と、板状部材とスライド部材との間に設けられた弾性止水材とで構成される。板状部材と弾性止水材は、スライド部材をスライドさせたことによりスライド部材と他のセグメントとの間に生じる隙間を塞ぐものである。止水機構として、固定部材の側端部に沿って、スライド部材に凸部を設けてもよい。凸部を設けることにより、スライド部材をスライドさせても、スライド部材と他のセグメントとの間に隙間が生じない。
【０００９】
スライド部材と固定部材との間には、地山からの漏水を防止するための第２の止水機構が設けられる。第２の止水機構とは、例えば、固定部材に固定され、トンネル軸方向の長さがスライド部材より長い板状部材である。
【００１０】
第１の発明では、セグメントリングの所定の部分に、固定部材と、固定部材に対してトンネルの断面拡幅方向にスライド可能なスライド部材からなるセグメントを設置する。
【００１１】
【発明の実施の形態】
以下、図面に基づいて、本発明の第１の実施の形態について詳細に説明する。図１は、トンネル４の斜視図、図２は、拡幅用セグメント付近の斜視図、図３は、拡幅用セグメントのトンネル周方向の断面図を示す。
【００１２】
拡幅用セグメントを用いてトンネル４の拡幅を行うには、まず、図１に示すように、トンネル４の通常断面部分にセグメントリング１ａを設置し、拡幅部分にセグメントリング１を設置する。図１に示すように、トンネル４は、セグメントリング１、セグメントリング１ａ等からなる。セグメントリング１、セグメントリング１ａは、掘削断面の拡幅機能を有する円形のシールド機の内部で組立てられる。
【００１３】
セグメントリング１ａは、図２に示す複数のセグメント２を環状に組立てたものである。セグメント２は、鋼製、コンクリート製等である。セグメントリング１は、図２に示す通常のセグメント７と拡幅用セグメントを環状に組立てたものである。セグメントリング１には、拡幅後の止水のための部材６（図１）が設けられる。
【００１４】
セグメント７は、図２、図３に示すように、側面３７、側面３３、外周面３５で構成される。側面３７は外周面３５の向かい合う１対の辺に、側面３３は残りの１対の辺に設けられる。セグメント７は、鋼製、コンクリート製等である。
【００１５】
拡幅用セグメントは、図２、図３に示すように、トンネル軸方向の断面がコの字状の部材である固定部材３と、スライド部材５からなる。スライド部材５は、固定部材３の両側に１つずつ配置される。固定部材３は、外周面１７、側面１９、側面２３、縦リブ２１で構成される。側面１９は、外周面１７の向かい合う１対の辺に、側面２３は残りの１対の辺に設けられる。縦リブ２１は、側面１９に平行な部材であり、ジャッキ推力伝達材として設置される。
【００１６】
スライド部材５は、外周面２７、側面２５、側面３１、縦リブ２９で構成される。側面２５は、外周面２７の向かい合う１対の辺に、側面３１は外周面２７の残りの１対の辺に設けられる。縦リブ２９は、側面２５に平行な部材であり、ジャッキ推力伝達材として設置される。固定部材３、スライド部材５は、鋼製等とするのが好ましい。
【００１７】
図２に示すように、スライド部材５の側面２５ｂとセグメント７の側面３３とは、セグメント継手４１で固定される。セグメント７と一体化されたスライド部材５は、トンネル拡幅方向、すなわち図２、図３の矢印Ｃに示す方向にスライド可能である。固定部材３とスライド部材５からなる拡幅用セグメントは、セグメントリング１の上端部（図１のＡに示す部分）と下端部の２ヶ所に設けられる。
【００１８】
図２、図３に示すように、固定部材３の外周面１７には、コーキングと溶接１１によって、板状部材９が固定される。板状部材９は、固定部材３やスライド部材５よりトンネル軸方向の長さが長く、両端部１０（図２）がセグメントリング１の前後のセグメントリングに重なる。板状部材９の内周面１３の２ヶ所には、凹部１５が設けられる。板状部材９は、鋼製等とする。
【００１９】
トンネル４の拡幅前、すなわち図１に示す状態では、スライド部材５は、図３に示すように、ボルト３９を用いて板状部材９に固定される。ボルト３９は、スライド部材５の内側から外周面２７を貫通して設置される。
【００２０】
図４は、拡幅後の拡幅用セグメントのトンネル周方向の断面図、図５は、拡幅後のトンネル４の斜視図を示す。図４は、図５のＤに示す部分の拡大図である。図３に示す状態から、スライド部材５を板状部材９に固定しているボルト３９を取り外し、セグメント７と一体化されたスライド部材５を矢印Ｃに示す方向にスライドさせる。そして、図４に示す位置で、ボルト３９を用いて、スライド部材５を板状部材９に再度固定する。
【００２１】
このとき、図１に示すセグメントリング１は矢印Ｂに示す方向に拡幅され、図５に示す状態となる。部材６は、セグメントリング１の拡幅により、セグメントリング１ａとセグメントリング１との間に生じる隙間を塞ぐ。固定部材３の側面１９とスライド部材５の側面２５ａとの間に形成される空間３８への地山からの漏水は、板状部材９によって防止される。
【００２２】
このように、第１の実施の形態では、固定部材３と、固定部材３の両側に配置されるスライド部材５からなる拡幅用セグメントを、拡幅予定の円形のセグメントリング所定の部分に設置し、セグメントリング１を形成する。固定部材３に固定された板状部材９に沿ってスライド部材５をスライドさせることにより、セグメントリング１を拡幅させることができる。
【００２３】
また、止水機構として、板状部材９を設けることにより、セグメントリング１の拡幅時および拡幅前後に、地山からトンネル４の内部への漏水を防止できる。
【００２４】
次に、第２の実施の形態について説明する。図６、図７は、拡幅用セグメント付近の斜視図、図８は、拡幅用セグメントのトンネル軸方向の断面図を示す。図６は、図１のＡに示す部分の拡大図である。図１０は、図６のＦに示す部分を切り取った図である。
【００２５】
第２の実施の形態の拡幅用セグメントを用いてトンネル４の拡幅を行うには、まず、第１の実施の形態と同様に、図１に示すように、トンネル４の通常断面部分にセグメントリング１ａを設置し、拡幅部分にセグメントリング１を設置する。セグメントリング１、セグメントリング１ａは、掘削断面の拡幅機能を有する円形のシールド機の内部で組立てられる。
【００２６】
セグメントリング１ａは、図６に示す複数のセグメント２を環状に組立てたものである。セグメント２は、図７に示すように、側面７１、側面７３、外周面７５で構成される。側面７１は外周面７５の向かい合う１対の辺に、側面７３は残りの１対の辺に設けられる。セグメント２は、鋼製、コンクリート製等である。
【００２７】
セグメントリング１は、図６に示す通常のセグメント４５と拡幅用セグメントを環状に組立てたものである。セグメントリング１には、拡幅後の止水ための部材６（図１）が設けられる。セグメント４５は、図７に示すように、側面６１、側面６３、外周面５９で構成される。側面６１は外周面５９の向かい合う１対の辺に、側面５３は残りの１対の辺に設けられる。セグメント４５は、鋼製、コンクリート製等である。
【００２８】
拡幅用セグメントは、図７、図８に示すように、トンネル軸方向の断面がコの字状の部材である固定部材４３と、スライド部材５１からなる。拡幅用セグメントは、固定部材４３と、その内側に入れ子に配置されるスライド部材５１との二重構造である。固定部材４３は、外周面４７、側面４９で構成される。側面４９は、外周面４７の向かい合う１対の辺に設けられる。
【００２９】
スライド部材５１は、外周面５３、側面５５、側面５７で構成される。側面５５は、外周面５３の向かい合う１対の辺に、固定部材４３の側面４９に沿って設けられる。側面５７は外周面５３の残りの１対の辺に設けられる。スライド部材５１は、側面５７に垂直な面で切断され、スライド部材５１ａとスライド部材５１ｂに分割される。固定部材４３、スライド部材５１は、鋼製等とするのが好ましい。
【００３０】
スライド部材５１の側面５７とセグメント４５の側面６３とは、セグメント継手６７で固定される。スライド部材５１の側面５７とセグメント４５の側面６３との間には、弾性止水材５８（図１１）が設けられる。セグメント５５と一体化されたスライド部材６１ａ、スライド部材６１ｂは、固定部材５３の軸方向、すなわち図６の矢印Ｅに示す方向にそれぞれスライド可能である。固定部材４３とスライド部材５１からなる拡幅用セグメントは、セグメントリング１の上端部（図１のＡに示す部分）と下端部の２ヶ所に設けられる。
【００３１】
図７、図８に示すように、固定部材４３の側面４９とスライド部材５５の側面５１との間には、弾性止水材５０が設けられる。また、固定部材４３の側面４９とセグメント２の側面７１との間には、弾性止水材５２が設けられる。弾性止水材５０、弾性止水材５２は、ゴム等である。
【００３２】
セグメントリング１の組立てと前後して、図６に示すようにセグメント２の外周面７５に、溶接６６（図１２）によって板状部材６５を固定する。板状部材６５のセグメント５側の面には、ゴム等の弾性止水材７９（図１２）が設けられる。板状部材６５は、鋼製等とする。
【００３３】
図９、図１０は拡幅用セグメント付近の斜視図を示す。図９は、図５のＤに示す部分の拡大図である。図１０は、図９に示すセグメントリング１に、新設のセグメント２を設置する工程を示す図である。図１１は、拡幅用セグメント付近のトンネル周方向の断面図、図１２はスライド部材４１付近のトンネル軸方向の断面図である。図１１、図１２は、セグメントリング１にセグメント２ａ、セグメント２ｂ…からなる新設のセグメントリングを固定した状態での断面図を示す。図１１は、図１２のＩ−Ｉによる断面図である。図１２は、図１１のＨ−Ｈによる断面図である。
【００３４】
図６に示す状態から、セグメント４５と一体化されたスライド部材５１ａ、スライド部材５１ｂを、矢印Ｅに示す方向にスライドさせ、図９に示す状態にする。すると、図１に示すセグメントリング１は矢印Ｂに示す方向に拡幅され、図５に示す状態となる。部材６は、セグメントリング１の拡幅により、セグメントリング１ａとセグメントリング１との間に生じる隙間を塞ぐ。
【００３５】
図１１に示すように、固定部材４３の外周面４７の端部７０付近では、スライド部材５１の外周面５３との間にゴム等の弾性止水材６９（パッキン）が設置される。弾性止水材６９、前述した弾性止水材５０（図７から図９）によって、固定部材４３のスライド時に、固定部材４３とスライド部材５１との間の止水性が確保される。
【００３６】
また、図１２に示すように、セグメント２の外周面７５には、板状部材６５が溶接６６により固定される。板状部材６５のセグメント５側の面には、ゴム等の弾性止水材７９（パッキン）が設けられる。板状部材６５と弾性止水材７９からなる止水機構は、スライド部材４１のスライドによりスライド部材４１の側面５５とセグメント２の側面７１との間に生じる隙間７７への、地山からの漏水を防止する。
【００３７】
セグメントリング１を拡幅した後、図１０、図１２に示すように、固定部材４３の外周面４７とセグメント４５の外周面５９に板状部材８１を固定する。板状部材８１とスライド部材５１の外周面５３との間には、ゴム等の弾性止水材８３（図１２）が設けられる。
【００３８】
セグメントリング１の前方には、セグメント２ａが設置され、さらに矢印Ｇに示すようにセグメント２ｂ…が設置され、新設のセグメントリング（図示せず）が形成される。板状部材８１は、セグメント２ａ、セグメント２ｂの外周面７５に固定される。
【００３９】
板状部材８１と弾性止水材８３からなる止水機構は、スライド部材５１の側面５５とセグメント２ａ（２ｂ）の側面７１との間の隙間７５への、地山からの漏水を防止する。図１２に示す隙間７７、隙間８５には、コーキング材が充填される。
【００４０】
このように、第２の実施の形態では、断面がコの字の固定部材４３と、固定部材４３の内側に配置されるスライド部材５１からなる拡幅用セグメントを、拡幅予定の円形のセグメントリング所定の部分に設置し、セグメントリング１を形成する。固定部材４３に沿ってスライド部材５１をスライドさせることにより、セグメントリング１を拡幅させることができる。
【００４１】
また、止水機構として、板状部材６５と弾性止水材７９、板状部材８１と弾性止水材８３、弾性止水材６９等を設けることにより、セグメントリング１の拡幅時および拡幅前後に、地山からトンネル４の内部への漏水を防止できる。
【００４２】
次に、第３の実施の形態について説明する。図１３は、第３の実施の形態の拡幅用セグメント付近の斜視図、図１４は、第３の実施の形態の拡幅用セグメントを構成する各部材の斜視図を示す。図１３は、図１のＡに示す部分を拡大した図である。
【００４３】
第３の実施の形態の拡幅用セグメントを用いてトンネル４の拡幅を行うには、まず、第１の実施の形態と同様に、図１に示すように、トンネル４の通常断面部分にセグメントリング１ａを設置し、拡幅部分にセグメントリング１を設置する。セグメントリング１、セグメントリング１ａは、掘削断面の拡幅機能を有する円形のシールド機の内部で組立てられる。セグメントリング１ａは、第１の実施の形態と同様の複数のセグメント２を、環状に組立てたものである。
【００４４】
セグメントリング１は、図１３に示す通常のセグメント９３と拡幅用セグメントを環状に組立てたものである。セグメントリング１には、拡幅後の止水のための部材６（図１）が設けられる。セグメント９３は、図１３に示すように、側面１１１、外周面１１３等で構成される。セグメント９３は、鋼製、コンクリート製等である。
【００４５】
拡幅用セグメントは、図１３に示すように、トンネル軸方向の断面がコの字状の固定部材９１、スライド部材９５からなる。拡幅用セグメントは、固定部材９１と、その内側に入れ子に配置されるスライド部材９５との二重構造である。固定部材９１は、外周面９７、側面９９で構成される。側面９９は、外周面９７の向かい合う１対の辺に設けられる。
【００４６】
スライド部材９５は、外周面１０３、側面１０１、側面１０５で構成される。側面１０１は、外周面１０３の向かい合う１対の辺に、固定部材０１の側面９９に沿って設けられる。側面１０５は外周面１０３の残りの１対の辺に設けられる。側面１０１のトンネル内周側の辺には、止水機構として凸部１０７が設けられる。凸部１０７には、ゴム等の弾性止水材１０８が設けられる。
【００４７】
図１３に示すように、固定部材９１の内部にスライド部材９５を配置すると、凸部９７の面位置は、固定部材９１の側面９９やセグメント９３の側面１１１と同じ位置となる。スライド部材９５は、側面１０１に垂直な面で切断され、スライド部材９５ａとスライド部材９５ｂに分割される。固定部材９１、スライド部材９５は、鋼製等とするのが好ましい。
【００４８】
スライド部材９５の側面１０５とセグメント９３の側面１１１とは、セグメント継手６７（図１６）で固定される。スライド部材９５の側面１０５とセグメント９３の側面１１１との間には、弾性止水材１０４、弾性止水材１０６（図１４、図１６）が設けられる。弾性止水材１０４、弾性止水材１０６は、ゴム等とする。
【００４９】
セグメント９３と一体化されたスライド部材９５ａ、スライド部材９５ｂは、固定部材９１の軸方向、すなわち図１３の矢印Ｊに示す方向にそれぞれスライド可能である。固定部材９１とスライド部材５５からなる拡幅用セグメントは、セグメントリング１の上端部（図１のＡに示す部分）と下端部の２ヶ所に設けられる。
【００５０】
図１５は、拡幅後の拡幅用セグメント付近の斜視図を示す。図１５は、図５のＤに示す部分の拡大図である。図１６は、拡幅用セグメント付近のトンネル周方向の断面図、図１７は、スライド部材９５付近のトンネル軸方向の断面図である。図１６、図１７は、セグメントリング１にセグメント２ｃ、セグメント２ｄ（図１５）等からなる新設のセグメントリングを固定した状態での断面図を示す。図１６は、図１７のＭ−Ｍによる断面図である。図１７は、図１６のＬ−Ｌによる断面図である。
【００５１】
図１３に示す状態から、セグメント９３と一体化されたスライド部材９５ａ、スライド部材９５ｂを、矢印Ｊに示す方向にスライドさせ、図１５に示す状態にする。すると、図１に示すセグメントリング１は矢印Ｂに示す方向に拡幅され、図５に示す状態となる。部材６は、セグメントリング１の拡幅により、セグメントリング１ａとセグメントリング１との間に生じる隙間を塞ぐ。
【００５２】
図１６に示すように、固定部材９１の外周面９７の端部１１０付近では、スライド部材９５の外周面１０３との間にゴム等の弾性止水材１０９（パッキン）が設置される。止水部材６９によって、固定部材９１のスライド時に、固定部材９１とスライド部材９５との間の止水性が確保される。
【００５３】
また、図１７に示すように、スライド部材９５の側面１０１の端部には、弾性止水材１０８を有する凸部１０７が設けられる。弾性止水材１０８を有する凸部１０７は、スライド部材９５のスライド時およびスライド後に、スライド部材９５の側面１０１とセグメント２の側面７１との間の止水性を確保する。
【００５４】
セグメントリング１を拡幅した後、セグメントリング１の前方には、図１５の矢印Ｋに示すように、セグメント２ｃ、セグメント２ｄ…が設置され、新設のセグメントリング（図示せず）が形成される。
【００５５】
このように、第３の実施の形態では、断面がコの字状の固定部材９１と、固定部材９１の内側に配置されるスライド部材９５からなる拡幅用セグメントを、拡幅予定の円形のセグメントリング所定の部分に設置し、セグメントリング１を形成する。固定部材９１に沿ってスライド部材９５をスライドさせることにより、セグメントリング１を拡幅させることができる。
【００５６】
また、止水機構として、弾性止水材１０８を有する凸部１０７、止水部材１０９等を設けることにより、セグメントリング１の拡幅時および拡幅前後に、地山からトンネル４の内部への漏水を防止できる。
【００５７】
なお、第１から第３の実施の形態では、セグメントリング１の上端部と下端部に拡幅用セグメントを設置したが、他の個所に設置してもよい。また、第２、第３の実施の形態では、固定部材４３（固定部材９１）の内側にスライド部材５１（スライド部材９５）を配置したが、固定部材４３（固定部材９１）の外側にスライド部材５１（スライド部材９５）を配置し、スライドさせてもよい。この場合、板状部材６５と弾性止水材７９（板状部材８１と弾性止水材８３）や弾性止水材１０８を有する凸部１０８等の止水機構は、トンネル拡幅時およびトンネル拡幅後に固定部材４３（固定部材９１）とセグメント２との間の止水性が確保されるように設置される。
【００５８】
さらに、スライド部材５１（スライド部材９５）を分割せずにトンネルの片回りにスライドさせてセグメントリング１を拡幅してもよい。固定部材、スライド部材のトンネル軸方向の断面形状は、コの字状に限らず、Ｌ字状の部材と矩形部材としてもよい。
【００５９】
【発明の効果】
以上、詳細に説明したように、本発明によれば、止水性を確保しつつ円形のセグメントリングを拡幅できるセグメントを提供できる。
【図面の簡単な説明】
【図１】トンネル４の斜視図
【図２】拡幅用セグメント付近の斜視図
【図３】拡幅用セグメントのトンネル周方向の断面図
【図４】拡幅後の拡幅用セグメントのトンネル周方向の断面図
【図５】拡幅後のトンネル４の斜視図
【図６】拡幅用セグメント４３付近の斜視図
【図７】拡幅用セグメント４３付近の斜視図
【図８】拡幅用セグメントのトンネル軸方向の断面図
【図９】拡幅用セグメント４３付近の斜視図
【図１０】拡幅用セグメント４３付近の斜視図
【図１１】拡幅用セグメント付近のトンネル周方向の断面図
【図１２】スライド部材５１付近のトンネル軸方向の断面図
【図１３】第３の実施の形態の拡幅用セグメント付近の斜視図
【図１４】第３の実施の形態の拡幅用セグメントを構成する各部材の斜視図
【図１５】拡幅後の拡幅用セグメント付近の斜視図
【図１６】拡幅用セグメント付近のトンネル周方向の断面図
【図１７】スライド部材９５付近のトンネル軸方向の断面図
【符号の説明】
１、１ａ………セグメントリング
２、２ａ、２ｂ、２ｃ、２ｄ、５、５３………セグメント
３、４３、９１………固定部材
５、５１、５１ａ、５１ｂ、９５、９５ａ、９５ｂ………スライド部材
９、６５、７８………板状部材
５０、５２、６９、７９、８３、１０４、１０６、１０８、１０９………弾性止水材
１０７………凸部
【図１】
2004244885.tif 000003
【図２】
2004244885.tif 000004
【図３】
2004244885.tif 000005
【図４】
2004244885.tif 000006
【図５】
2004244885.tif 000007
【図６】
2004244885.tif 000008
【図７】
2004244885.tif 000009
【図８】
2004244885.tif 000010
【図９】
2004244885.tif 000011
【図１０】
2004244885.tif 000012
【図１１】
2004244885.tif 000013
【図１２】
2004244885.tif 000014
【図１３】
2004244885.tif 000015
【図１４】
2004244885.tif 000016
【図１５】
2004244885.tif 000017
【図１６】
2004244885.tif 000018
【図１７】
2004244885.tif 000019